(57)【特許請求の範囲】
【請求項１】
板体又は台体と、
前記板体上、該板体の上方、又は該板体の内部、あるいは前記台体上、該台体の上方、又は該台体の内部に配置される複数の給気ノズルを備えるとともに、上方に向かうに従って断面積が大きくなる空気を前記給気ノズルから供給する給気部と、
前記給気ノズルの上方に配置され、前記板体又は前記台体に向けて開口する少なくとも１つの排気口を有する排気部と、
前記排気口が設けられている平面から鉛直下方に５０ｍｍ以上２００ｍｍ以下離れた位置に、水平面となす俯角が３５°以上６０°以下である複数の気流ガイドと、を備え、
前記給気ノズルから供給される各々の前記空気が、前記排気口から排気されるまでに合流し、合流空気（ウィルス又は細菌を含有し得る）となるように前記給気ノズルが配置され、前記気流ガイドによって前記合流空気の進行方向を変更し該合流空気を前記排気口に集めて排気する、
感染症対策用換気システム。
【請求項２】
前記複数の該給気ノズルから供給される各々の前記空気が、前記排気口から排気されるまでに合流するように制御する制御部を、さらに備える、
請求項１に記載の感染症対策用換気システム。
【請求項３】
前記空気に近接する人を検出する検出部と、
前記人の数が所定の数になったときに、前記給気ノズルの吐出口における前記空気の流速を速くするように前記給気部を制御する制御部、
及び／又は、
前記人の数が所定の数になったときに、前記排気口における前記空気の排気速度を速くするように前記排気部を制御する制御部とを、さらに備える、
請求項１又は請求項２に記載の感染症対策用換気システム。
【請求項４】
前記給気ノズルから吐出される前記空気の吐出方向に直交する面と、前記空気を導入する側の前記給気ノズルの開口面との成す角が、３０°以上６０°以下である、
請求項１乃至請求項３のいずれか１項に記載の感染症対策用換気システム。
【請求項５】
前記給気ノズルから吐出される前記空気が、前記給気ノズルの先端から、２５０ｍｍ以上４００ｍｍ以下離れた位置で合流する、
請求項１乃至請求項４のいずれか１項に記載の感染症対策用換気システム。
【請求項６】
前記空気の吐出方向に沿って設けられる薄板体をさらに備え、
前記薄板体の高さは、前記給気ノズルから吐出される前記空気が合流する位置よりも高い、
請求項１乃至請求項５のいずれか１項に記載の感染症対策用換気システム。
【請求項７】
前記給気ノズルから吐出される前記空気の、前記給気ノズルの吐出口における流速が、２ｍ／秒以上４ｍ／秒以下である、
請求項１乃至請求項６のいずれか１項に記載の感染症対策用換気システム。
【請求項８】
前記板体又は前記台体が室内に配置され、
室外から前記室内に外気を供給するための給気ファンと、
前記空気を、前記室外に放出するための排気ファンと、を備え、
前記排気ファンから前記室外に至るまでの正圧の前記空気が流れる排気流路が気密状態である、
請求項１乃至請求項７のいずれか１項に記載の感染症対策用換気システム。
【請求項９】
前記空気の温度を、前記空気が前記給気部に送給される前に１８℃以上２６℃以下となるように調節する、温度調節器をさらに備える、
請求項１乃至請求項８のいずれか１項に記載の感染症対策用換気システム。
【請求項１０】
板体上、該板体の上方、又は該板体の内部、あるいは台体上、該台体の上方、又は該台体の内部に配置される複数の給気ノズルから上方に向けて、上方に向かうに従って断面積が大きくなる空気を供給するとともに、該給気ノズルの上方に配置され、前記板体又は前記台体に向けて開口する少なくとも１つの排気口から前記空気が排気されるまでに、前記空気が合流し、合流空気（ウィルス又は細菌を含有し得る）となるように供給する給気工程と、
前記排気口が設けられている平面から鉛直下方に５０ｍｍ以上２００ｍｍ以下離れた位置に、水平面となす俯角が３５°以上６０°以下である複数の気流ガイドによって、前記合流空気の進行方向を変更し該合流空気を前記排気口に集めて排気する排気工程と、を含む、
感染症対策用換気方法。
【請求項１１】
給気ファンによって室外から、前記板体又は前記台体が配置された室内に外気を供給し、
排気ファンによって前記空気を前記室外に放出し、かつ
前記排気ファンから前記室外に至るまでの正圧の前記空気が流れる排気流路が気密状態である、
請求項１０に記載の感染症対策用換気方法。
【発明の詳細な説明】
【技術分野】
【０００１】
本発明は、換気システム及び換気方法に関する。
【背景技術】
【０００２】
従来から、飲食業及び接客業に代表される多くの客への対応が必要とされる業種においては、その客が占有するテーブルや場所の全体を換気する換気システム又は換気方法が採用されている。しかしながら、世界的に流行している新型コロナウィルス感染症（ＣＯＶＩＤ−１９）のような種々のウィルスや細菌に対する感染症対策としては十分ではない場合が多い。
【０００３】
これまでに、室内空間の空気中に浮遊する細菌やウィルス類を殺菌又は不活性化をする為に、在室の人畜の体高よりも十分に高い室内高所から、室内空間を対流する空気中へ向けて水平に紫外線を照射する装置が開示されている（特許文献１）。
【先行技術文献】
【特許文献】
【０００４】
【特許文献１】特開２００６−２３１００７号公報
【発明の概要】
【発明が解決しようとする課題】
【０００５】
しかしながら、例えば、飛沫感染が感染原因の一つであるウィルス感染症に対して特許文献１の手段が採用されたとしても、対面に座る客同士の、あるいは客と接客者との会話において生じ得る飛沫（マイクロ飛沫及びエアロゾルを含む。）を高く防止又は抑制することはできない。
【０００６】
特に、新型コロナウィルス感染症（ＣＯＶＩＤ−１９）のような未知のウィルスは、その感染力が不明であるため、それまでに法で定められた、又は行政が示すガイドライン等に沿った換気システム又は換気方法では対応できない可能性がある。したがって、飲食業等は、行政に頼ることなく、独自の先進的な対応を取ることは事業の継続のための重要な対策であるといえる。
【０００７】
また、世界中で猛威を振るう新型コロナウィルス感染症（ＣＯＶＩＤ−１９）のような状況下にあっても、地球温暖化のための空調の負荷の低減を図ることは考慮されるべき要素である。
【課題を解決するための手段】
【０００８】
本発明は、上述の課題のうち少なくとも１つ解決し、飲食業又は接客業等において、例えば、対面に居る客同士の、あるいは客と接客者との会話や談笑等において生じ得る飛沫の相手方への到達を確度高く防止又は抑制することができる換気システム及び換気方法の実現に大きく貢献し得る。
【０００９】
本願発明者は、外気から室内に取り入れる空気を局所的に、又は細分化した態様で送り込むことが、感染症対策に代表される健康被害をより確度高く防止することにつながると考え、鋭意研究と分析を重ねて検討を行った。
【００１０】
多くの試行錯誤を重ねた結果、本願発明者は、客からの飛沫（マイクロ飛沫及びエアロゾルを含む。以下、総称して「飛沫」という。）を、他人に到達させる前に、一つの定まった方向、より具体的には、上昇する向きの空気の流れ（気流）に乗せて排気口又は陰圧領域まで到達させることが、該飛沫の他人への到達の防止又は抑制に有効であることを知得した。加えて、その上昇する気流について更に分析が重ねられた結果、本願発明者は、細分化された少なくとも隣り合う個別の気流が上昇する過程において合流するように工夫し、いわば上昇気流による空気のカーテンを形成することによって、該飛沫の他人への到達を確度高い防止又は抑制を実現し得ることを見出した。
【００１１】
また、本願発明者は、外気から室内に空気を取り入れる際の給気についても研究と分析を重ね、特に空気の吐出の際の圧力調整を工夫することによって安全性を高めることが可能となることを見出した。本発明は、上述の各知見に基づいて創出された。
【００１２】
本発明の１つの換気システムは、板体又は台体と、該板体上、該板体の上方、又は該板体の内部、あるいは該台体上、該台体の上方、又は該台体の内部に配置される複数の給気ノズルを備えるとともに、上方に向かうに従って断面積が大きくなる空気を該給気ノズルから供給する給気部と、該給気ノズルの上方に配置され、前述の板体又は前述の台体に向けて開口する少なくとも１つの排気口を有する排気部と、を備える。加えて、この換気システムは、前述の給気ノズルから供給される各々の前述の空気が、前述の排気口から排気されるまでに合流するように該給気ノズルが配置される。
【００１３】
この換気システムにおいては、複数の給気ノズルから吐出される、上方に向かうに従って断面積が大きくなる各々の空気が、排気口から排気されるまでに合流するように該給気ノズルが配置される。その結果、いわば上昇気流による空気のエレベーター又はベルトコンベアが形成されることによって、その空気の一方側に居る者の会話や談笑等による飛沫がその空気の上昇気流に乗って排気されるため、該飛沫が該空気の他方側に居る者に到達することを確度高く防止又は抑制し得る。
【００１４】
また、本発明の１つの換気方法は、板体上、該板体の上方、又は該板体の内部、あるいは台体上、該台体の上方、又は該台体の内部に配置される複数の給気ノズルから上方に向けて、上方に向かうに従って断面積が大きくなる空気を供給するとともに、該給気ノズルの上方に配置され、前述の板体又は前述の台体に向けて開口する少なくとも１つの排気口から前述の空気が排気されるまでに、該空気が合流するように供給する給気工程と、合流した該空気を排気する排気工程と、を含む。
【００１５】
この換気方法によれば、上方に向かうに従って断面積が大きくなる各々の空気が、排気口から排気されるまでに合流するように、複数の給気ノズルから空気が供給される給気工程が行われる。その結果、いわば上昇気流による空気のエレベーター又はベルトコンベアが形成されることによって、その空気の一方側に居る者の会話や談笑等による飛沫がその空気の上昇気流に乗って排気される排気工程が行われるため、該飛沫が該空気の他方側に居る者に到達することを確度高く防止又は抑制し得る。
【発明の効果】
【００１６】
本発明の１つの換気システムによれば、複数の給気ノズルからの上方に向かうに従って断面積が大きくなる各々の空気が、排気口から排気されるまでに合流することによって、その空気の一方側に居る者の会話や談笑等による飛沫がその空気の上昇気流に乗って排気されるため、該飛沫が他方側に居る者に到達することを確度高く防止又は抑制し得る。
【００１７】
また、本発明の１つの換気方法によれば、上方に向かうに従って断面積が大きくなる各々の空気が、排気口から排気されるまでに合流するように供給されることにより、その空気の一方側に居る者の会話や談笑等による飛沫がその空気の上昇気流に乗って排気されるため、該飛沫が他方側に居る者に到達することを確度高く防止又は抑制し得る。
【図面の簡単な説明】
【００１８】
【図１】第１の実施形態の換気システムの構成を説明するための概要図である。
【図２】第１の実施形態における給気部の一部端面図である。
【図３】第１の実施形態の変形例（１）における図２に相当する給気部の一部端面図である。
【図４】第１の実施形態の変形例（２）における図２に相当する給気部の一部端面図である。
【図５】第１の実施形態の変形例（３）における図２に相当する給気部の一部端面図である。
【図６】第２の実施形態の換気システムの構成を説明するための概要図である。
【図７】第３の実施形態の換気システムの構成を説明するための概要図である。
【図８】第３の実施形態の気流ガイドの構成を説明するための概要図である。
【図９】第３の実施形態の変形例（１）の気流ガイドの構成を説明するための概要図である。
【図１０】第４の実施形態の換気システムの構成を説明するための概要図である。
【図１１】第５の実施形態の換気システムの構成を説明するための概要図である。
【発明を実施するための形態】
【００１９】
本発明の実施形態である換気システム１００及び換気システム１００の換気方法を、添付する図面に基づいて詳細に述べる。なお、この説明に際し、全図にわたり、特に言及がない限り、共通する部分には共通する参照符号が付されている。また、図中、各実施形態の要素は必ずしも互いの縮尺を保って記載されるものではない。さらに、各図面を見やすくするために、一部の符号が省略され得る。
【００２０】
＜第１の実施形態＞
（換気システムの全体構成）
図１は、本実施形態の換気システム１００の構成を説明するための概要図である。また、図２は、本実施形態の換気システム１００の給気部２０の一部端面図である。
【００２１】
図１及び図２に示すように、本実施形態の換気システム１００は、テーブル、机、又はバーカウンターに代表される板体又は台体（以下、総称して「板体」という。）９０と、板体９０の上又は板体９０の上方に配置される給気ノズル２４を備えた給気部２０と、給気ノズル２４の上方に配置され、板体９０に向けて開口する少なくとも１つの排気口５０ａを有する排気部５０とを備える。なお、本実施形態においては、板体９０は、建物内又は室内に配置される。
【００２２】
また、本実施形態の換気システム１００による給気を支援するため、室外（外気）から室内に空気を取り入れるとともに、室内の空気を室外に排気する、給排気のための構成が設けられる。
【００２３】
具体的には、室内又は室外に配置される給気ファン１０を用いて、室外の空気を第１給気管１２から室内に導入する。給気ファン１０によって正圧となった空気は、第２給気管１３、熱交換器６０、及び第３給気管１４を経由して正圧の状態で給気部２０に送給される。また、本実施形態の熱交換器６０は、空調負荷の増大に対応するために全熱交換器であることが好ましい。
【００２４】
給気部２０に送られた空気は、給気ノズル２４の各々の導入口２４ａから取り入れられ、各々の吐出口２２から吐出されることによって、上方に向かうに従って断面積が大きくなる空気４０ａが形成される（図２のｄ）。代表的な空気４０ａの形状の例は、図１に示すような略円錐台状又は略楕円錐台状である。空気４０ａは、ある距離を上昇した後、排気口５０ａから排気されるまでに合流し、合流空気４０ｂとなる（図２のＪ）。換言すれば、本実施形態の複数の給気ノズル２４は、給気ノズル２４から供給される各々の空気４０ａが、排気口５０ａから排気されるまでに合流するように配置される。その結果、板体９０上又はその上方に配置される複数の給気ノズル２４から上方に向けて、上方に向かうに従って断面積が大きくなる空気を供給するとともに、給気ノズル２４の上方に配置され、板体９０に向けて開口する少なくとも１つの排気口５０ａから該空気が排気されるまでに、該空気が合流するように供給する給気工程が行われる。
【００２５】
ところで、給気ノズル２４から吐出される各々の空気４０ａが合流するまでの距離（図２のＨ１）に関しては、給気ノズル２４から供給される各々の空気４０ａが上昇した後、排気口５０ａから排気されるまでに合流すれば、本実施形態の効果の少なくとも一部は奏され得る。なお、給気ノズル２４の先端（すなわち、吐出口２２）から、上方に２５０ｍｍ以上４００ｍｍ以下離れた位置で合流することは、その空気の一方側に居る者（例えば、図１の紙面左側の者）の会話や談笑等による飛沫が、他方側に居る者（例えば、図１の紙面右側の者）に到達することをより確度高く防止又は抑制し得る観点、及び空気４０（合流空気４０ｂ）を確度高く排気し得る観点から、好適な一態様である。
【００２６】
上述のとおり、給気ノズル２４から吐出された空気４０は、各々の給気ノズル２４から供給される各々の空気４０ａ（図２のｄ）と、それらの空気４０ａが合流して形成された合流空気４０ｂ（図２のＪ）とからなる。
【００２７】
その後、空気（合流空気４０ｂ）は、排気ファン７０を用いて排気される排気工程が行われる。具体的には、排気ファン７０によって負圧となっている排気口５０ａを備える排気部５０に空気（合流空気４０ｂ）が到達すると、第１排気管５２、熱交換器６０、第２排気管５４、及び第３排気管５５を経由して。室外に排気される。
【００２８】
なお、本実施形態においては、給気ノズル２４の吐出口２２から排気口５０ａまでの最短距離は、空気４０（合流空気４０ｂ）を確度高く排気できる距離であれば限定されない。なお、空気４０（合流空気４０ｂ）をより確度高く排気できる観点から言えば、給気ノズル２４の吐出口２２から排気口５０ａまでの最短距離が、５００ｍｍ以上２０００ｍｍ以下であることは好適な一態様である。また、単位時間当たりの排気量が単位時間当たりの給気量に対して１．２倍以上であることが、その空気の一方側に居る者（例えば、図１の紙面左側の者）の会話や談笑等による飛沫が、他方側に居る者（例えば、図１の紙面右側の者）に到達することをより確度高く防止又は抑制し得る観点、及び空気４０（合流空気４０ｂ）をより確度高く排気し得る観点から、好適な一態様である。
【００２９】
ここで、排気部５０から室外への排気に関して、特に、本実施形態の排気ファン７０は、熱交換器６０とは物理的に分離されていることは、熱交換器６０内部への給気によるウィルス又は細菌等の浸潤を確度高く防止する又は抑制する観点から好ましい。また、排気ファン７０から室外に至るまでの正圧の空気が流れる排気流路、すなわち第３排気管５５が気密状態であることは、ウィルス又は細菌を等含有し得る空気４０（合流空気４０ｂ）が室内に漏れ出すことを確度高く排気し得る観点から、好適な一態様である。
【００３０】
なお、気密状態をより確度高く保持するために、第３排気管５５の長さは、排気ファン７０から室外と室内の境界に位置する排気のための開口部（室外に向けた開口部）までの距離が２ｍ以内となるように構成される。該構成を採用することは、気密状態が確度高く保持されたうえで、空気４０（合流空気４０ｂ）をより確度高く排気し得る観点から、好適な一態様である。
【００３１】
上述のとおり、合流した空気４０を排気する排気工程においては、例えば、板体９０が配置された室内に給気ファン１０によって室外から外気を供給し、排気ファン７０によって空気４０を室外に放出するときに、排気ファン７０から室外に至るまでの正圧の空気４０が流れる排気流路、すなわち第３排気管５５が気密状態であることによって、ウィルス又は細菌を含有し得る空気４０（合流空気４０ｂ）を確度高く排気し得る。
【００３２】
また、第３排気管５５の気密性と同様に、空気が流れる配管のうち、少なくとも第２給気管１３、第３給気管１４、第１排気管５２、及び第２排気管５４は、施工における経済性の観点から公知のシール材又はシール機構が採用されることは設置又は製造コスト低減の観点から好適な一態様である。
【００３３】
次に、本実施形態の給気部２０の内部、及び第３給気管１４を経由して供給される空気の流れについてさらに詳しく説明する。
【００３４】
図２の端面図に示すように、本実施形態においては、筒状の給気部２０の内部空間２０ａに空気（図２のＡ）が紙面左側から右側に送給される場合、空気を導入する側の給気ノズル２４の導入口２４ａの開口面は、該空気を導入し易いように、及び吐出される空気が略真上に向けて給気されるように、該空気の吐出口２２からの吐出方向（図２のｄの矢印方向）に直交する面に対して、給気ノズル２４の開口面が傾いている。
【００３５】
なお、各々の給気ノズル２４の吐出口２２から吐出される空気の吐出方向（図２のｄの矢印方向）に直交する面と、空気を導入する側の給気ノズル２４の導入口２４ａの開口面との成す角（図２の角度α）は、３０°以上６０°以下であることは該空気の導入をより容易にするとともに、吐出される空気がより確度高く略真上に向けて給気される観点から好適な一態様である。
【００３６】
なお、本実施形態においては、給気ノズル２４の上部２４ｂが筒状の給気部２０から突出するように設けられている。斯かる構成を採用することによって、給気部２０から比較的離れた位置からであっても、空気が吐出する場所を容易に視認することが可能となる。
【００３７】
また、本実施形態においては、給気ノズル２４から供給される各々の空気４０ａが、排気口５０ａから排気されるまでに合流し得る速度であれば、特に速度は限定されない。なお、吐出される空気の一方側に居る者（例えば、図１の紙面左側の者）の会話や談笑等による飛沫が、他方側に居る者（例えば、図１の紙面右側の者）に到達することをより確度高く防止又は抑制し得る観点、及び空気４０（合流空気４０ｂ）をより確度高く排気し得る観点から言えば、給気ノズル２４の各々の吐出口２２から吐出される空気の速度（流速）が、２ｍ／秒以上４ｍ／秒以下（より好適には、２．５ｍ／秒以上、又は３．５ｍ／秒以下）であることは、好適な一態様である。
【００３８】
上述のとおり、本実施形態の換気システム１００及び換気方法を採用することにより、複数の給気ノズル２４から供給される、いわば上昇気流による空気４０のエレベーター又はベルトコンベアが形成されることによって、空気４０の一方側に居る者の会話や談笑等による飛沫が空気４０の上昇気流に乗って排気されるため、該飛沫が空気４０の他方側に居る者に到達することを確度高く防止又は抑制し得る。
【００３９】
＜第１の実施形態の変形例（１）＞
本変形例においては、給気部２０における給気ノズル２４の代わりに、給気ノズル２２４が採用されている点を除いて、第１の実施形態の換気システム１００と同じである。従って、第１の実施形態と重複する説明は省略され得る。図３は、本変形例における図２に相当する給気部の一部端面図である。
【００４０】
図３に示すように、本変形例の給気ノズル２２４は、第１の実施形態のような筒状の給気部２０から突出する給気ノズル２４の上部２４ｂを備えていない。従って、給気部２０が備える開口部と給気ノズル２２４の吐出口２２は略一致しているため、外観的には、給気部２０が備える開口部から空気４０が吐出されたように見えることになる。
【００４１】
本変形例の構成を採用すれば、例えば、給気部２０が備える開口部の形状を変更することによって、給気ノズル２４の吐出口２２の形状を変更することなく、給気部２０が供給する空気４０（特に、上方に向かうに従って断面積が大きくなる空気４０ａ）の形状を容易に変更することが可能となる。
【００４２】
本変形例の構成が採用された場合であっても、第１の実施形態の換気システム１００又は換気方法の効果の少なくとも一部の効果を奏し得る。
【００４３】
＜第１の実施形態の変形例（２）＞
本変形例においては、第１の実施形態の変形例（１）の給気部２０を、板体９０の下側、又は板体９０の内部に配置した点を除いて、第１の実施形態の換気システム１００又は第１の実施形態の変形例（１）と同じである。従って、第１の実施形態又は第１の実施形態の変形例（１）と重複する説明は省略され得る。図４は、本変形例における図２に相当する給気部の一部端面図である。
【００４４】
図４に示すように、本変形例の給気ノズル２２４を備えた給気部２０は、板体９０の下側、又は板体９０の内部（換言すれば、板体９０内に埋め込まれた位置）に配置されている。従って、外観的には、板体９０が備える開口部から空気４０が吐出されたように見えることになる。なお、本変形例は、図４に示す位置関係に限定されず、板体９０が備える開口部と給気ノズル２４の各々の吐出口２２とが連通していれば、板体９０と給気部２０との相対的な位置関係は限定されない。
【００４５】
本変形例の構成が採用された場合であっても、第１の実施形態の換気システム１００又は換気方法の効果の少なくとも一部の効果を奏し得る。
【００４６】
＜第１の実施形態の変形例（３）＞
また、例えば、図５に示すように、風量調整用のバッフル（邪魔板）２５を、各給気ノズル２４の間に、気流が各給気ノズル２４に近接と離間とを繰り返すように、換言すれば、蛇行するように適宜設けることにより、給気部２０内の風量を調整し、略均一に供給されるようにすることは他の好適な一態様である。
【００４７】
＜第２の実施形態＞
本実施形態の換気システム２００は、給気部２０から供給される空気の流速、単位時間当たりの給気量、及び／又は排気部５０の単位時間当たりの排気量を制御する制御部８０が設けられている点を除いて、第１の実施形態の換気システム１００と同様である。従って、第１の実施形態と重複する説明は省略され得る。
【００４８】
図６は、本実施形態の換気システム２００の構成を説明するための概要図である。
【００４９】
図６に示すように、本実施形態においては、制御部８０は、配線８２を介して給気部２０と電気的に接続し、配線８４を介して排気部５０と電気的に接続し、配線８８ａを介して給気ファン１０と電気的に接続し、配線８８ｂを介して排気ファン７０と電気的に接続している。その結果、制御部８０は、公知の気体の流速制御手段、給気量制御手段、及び排気量制御手段を用いて、給気部２０から供給される空気及び排気部５０の排気量に関する上述の各要素を制御し、複数の給気ノズル２４から供給される各々の空気４０ａが排気口５０から排気されるまでに合流するように、換言すれば、各々の空気４０ａから合流空気４０ｂが形成されるように制御する。
【００５０】
また、本実施形態においては、制御部８０は、配線８６を介して第２排気管５４が備える公知の圧力センサーと電気的に接続することによって、第２排気管５４内の排気される空気の圧力を監視することは採用し得る一態様である。なお、図示しないが、制御部８０が、第２排気管５４とは別に、又は第２排気管５４とともに、第１給気管１２、第３給気管１４、第１排気管５２、第２排気管５４、及び／又は第３排気管５５が備える公知の圧力センサーと電気的に接続することによって、給気される、及び／又は排気される空気の各々の圧力を監視することも採用し得る他の一態様である。
【００５１】
従って、換気システム２００によれば、給気部２０から供給される空気の流速、単位時間当たりの給気量、及び／又は排気部５０の単位時間当たりの排気量を制御する制御部８０によって管理された、各々の空気４０ａ、合流空気４０ｂ、及び／又は合流空気４０ｂの排気を実現し得る。その結果、その空気の一方側に居る者（例えば、図１の紙面左側の者）の会話や談笑等による飛沫が、他方側に居る者（例えば、図１の紙面右側の者）に到達することをより確度高く防止又は抑制し得るとともに、空気４０（合流空気４０ｂ）をより確度高く排気し得る。
【００５２】
＜第２の実施形態の変形例＞
ところで、本実施形態の変形例の１つとして、換気システム２００は、空気４０に近接する人を検出する公知のセンサーを備えた検出部（図示しない）と、第２の実施形態の給気部２０から供給される空気及び排気部５０の排気量に関する第２の実施形態において説明した各要素の代わりに、又は前述の各要素とともに、次の（１）及び／又は（２）の制御を行う制御部とを採用し得る。
（１）該検出部が空気４０に近接する人の数が所定の数（例えば、２人又は３人）になったことを検知したときに、給気ノズル２４の吐出口２２における前記空気の流速を速くするように給気部２０を制御する制御部
（２）該検出部が空気４０に近接する人の数が所定の数（例えば、２人又は３人）になったことを検知したときに、排気口５０における空気４０の排気速度を速くするように排気部５０を制御する制御部
【００５３】
この変形例の構成を採用することにより、その空気の一方側に居る者（例えば、図１の紙面左側の者）の会話や談笑等による飛沫が、他方側に居る者（例えば、図１の紙面右側の者）に到達することをより確度高く防止又は抑制し得る観点、及び空気４０（合流空気４０ｂ）をより確度高く排気し得る観点から、好適な一態様である。
【００５４】
＜第３の実施形態＞
本実施形態の換気システム３００は、排気部５０の周囲に、合流空気の流れの方向をガイドする複数の気流ガイド５６を備えている点、及び複数個の換気システムが表示されている点を除いて、第１の実施形態の換気システム１００又は第１の実施形態の変形例（１）と同様である。従って、第１の実施形態又は第１の実施形態の変形例（１）と重複する説明は省略され得る。
【００５５】
図７は、本変形例の換気システム３００の構成を説明するための概要図である。また、図８（ａ）は本変形例の気流ガイド５６の構成を説明するための概要側面図であり、図８（ｂ）は本変形例の気流ガイド５６の構成を説明するための概要正面図である。
【００５６】
図７及び図８に示すように、本変形例の換気システム３００においては、複数個の換気システムが、第１給気管１２、第２給気管１３、熱交換器６０、第３給気管１４、第１排気管５２、第２排気管５４、及び第３排気管５５を共に利用している。
【００５７】
従って、室外（外気）から給気ファン１０を用いて、壁９９によって区切られた室内に空気を取り入れた後、第１給気管１２、第２給気管１３、熱交換器６０、及び第３給気管１４を経由して供給される空気は、各々の板体９０の上又は板体９０の上方に配置される給気部２０に送られる。
【００５８】
給気部２０に送られた空気は、給気ノズル２２４の各々の吐出口２２から吐出されることによって、上方に向かうに従って断面積が大きくなる空気４０ａが形成され、さらに各々の空気４０ａが合流すると合流空気４０ｂが形成される。
【００５９】
本変形例においては、空気４０（合流空気４０ｂ）の大部分は、排気口５０ａに到達するまでに気流ガイド５６に一旦、衝突する。図７及び図８（ａ）に示すように、気流ガイド５６は、空気４０の流れを変えるための板状体であり、排気部５０が設けられている壁面に固定された略Ｕ字状の支持部５６ｂの端部に回転軸５６ａを中心に回動可能に取り付けられている。また、気流ガイド５６は、所望の角度で固定できる機構を備えている。
【００６０】
また、気流ガイド５６は、排気口５０ａが設けられている平面（代表的な例は、水平面）を基準として、鉛直下方に所定の距離（図８（ｂ）のＬ）離れた位置に気流ガイド５６の上端が位置するように、傾斜して配置される。なお、排気口５０ａに対向する位置に設けられた給気ノズル２２４の吐出口２２から吐出された一部の空気４０は、気流ガイド５６に衝突することなく、排気口５０ａに到達し得る。
【００６１】
その結果、図８（ａ）の矢印に示すように、気流ガイド５６の各々によって進行方向が変更された各々の空気４０（合流空気４０ｂ）は、排気口５０ａが設けられている平面から気流ガイド５６の上端までの間に形成される空間内（図８（ｂ）のＬの距離によって形成された空間内）を移動し、集められた後、排気口５０ａから排気されることになる。なお、図８（ｂ）のＬの距離が５０ｍｍ以上２００ｍｍ以下（より好適には、１００ｍｍ以上、又は２００ｍｍ以下）であることは、空気４０（合流空気４０ｂ）をより確度高く排気し得る観点から、好適な一態様である。また、気流ガイドが水平面となす俯角（図７のθ）が３５°以上６０°以下（より好適には、４０°以上、又は５５°以下）であることは、空気４０（合流空気４０ｂ）をより確度高く排気し得る観点から、好適な一態様である。
【００６２】
上述のとおり、本変形例の換気システム３００は、排気口５０ａが設けられている平面（代表的な例は、水平面）を基準として、鉛直下方に所定の距離（図８（ｂ）のＬ）離れた位置に、空気４０（合流空気４０ａ）の進行方向を変更し、空気４０を排気口５０ａに集めるための気流ガイド５６が設けられているため、空気４０（合流空気４０ｂ）をより確度高く排気することができる。
【００６３】
＜第３の実施形態の変形例（１）＞
ところで、第３の実施形態の換気システム３００においては、図８に示すような気流ガイド５６を備えているが、気流ガイド５６の代わりに、図９（ａ）、図９（ｂ）及び図９（ｃ）に示す気流ガイド３５６を採用することも好適な一態様である。なお、図９（ｃ）は、図９（ａ）におけるＱの方向から気流ガイド３５６を見たときの図である。
【００６４】
具体的には、第３の実施形態の気流ガイド５６が、さらに図９に示す補助ガイド５６ｃを備えている。補助ガイド５６ｃは、空気４０（合流空気４０ｂ）の進行方向を変更する気流ガイド３５６の役割を補助し得る。気流ガイド５６と同様に板状体である気流ガイド３５６の本体と、板状体である補助ガイド５６ｃとの成す角（図９（ｃ）のγ）の一例が、２０°以上６０°以下であることは、空気４０（合流空気４０ｂ）をより確度高く排気し得る観点から、好適な一態様である。
【００６５】
本変形例の気流ガイド３５６が採用された場合であっても、空気４０（合流空気４０ｂ）をより確度高く排気することができる。
【００６６】
＜第４の実施形態＞
本実施形態の換気システム４００は、給気部２０に沿って薄板体３０が配置されている点を除いて、第１の実施形態の換気システム１００又は第３の実施形態の換気システム３００と同様である。従って、第１の実施形態及び第３の実施形態と重複する説明は省略され得る。
【００６７】
図１０は、本実施形態の換気システム４００の構成を説明するための概要図である。
【００６８】
図１０に示すように、本実施形態においては、薄板体３０が板体９０の幅の略全てに亘るように給気部２０に沿って配置される。換言すれば、薄板体３０は、給気ノズル２２４の吐出口２２から空気４０ａが吐出される方向（本実施形態においては、鉛直上向き）に沿って、薄板体３０が板体９０の幅の略全てに亘るように配置される。加えて、本実施形態の薄板体３０は、給気ノズル２２４の吐出口２２から吐出される、上方に向かうに従って断面積が大きくなる空気４０ａの少なくとも一部に接触する位置に配置される。
【００６９】
また、図１０に示すように、本実施形態の薄板体３０の上端の位置は、各々の空気４０ａが合流する位置高くなるように形成又は配置される。換言すれば、給気ノズル２２４の吐出口２２から薄板体３０の上端までの距離又は高さ（図１０のＨ２）は、給気ノズル２２４の吐出口２２から各々の空気４０ａが合流するまでの距離又は高さ（図１０のＨ１）よりも長く、又は高くなるように形成又は配置される。その結果、薄板体３０は、空気４０（４０ａ及び４０ｂ）の流れを、いわば整流する役割も果たし得る。
【００７０】
なお、薄板体３０が給気部２０と一体的に成型させることは、他の好適な一態様である。また、薄板体３０の材質は限定されないため、該材質は、木製であっても樹脂製であってもよい。飲食店等における客同士の視認性、あるいは店員等のサービスを提供する者の視認性を高める観点から言えば、透明性を有する樹脂材料によって形成させることは好適な一態様である。
【００７１】
本実施形態の薄板体３０を採用することにより、その空気４０の一方側に居る者（例えば、図１の紙面左側の者）の会話や談笑等による飛沫が、他方側に居る者（例えば、図１の紙面右側の者）に到達することを非常に確度高く防止又は抑制し得ることになる。
【００７２】
＜第５の実施形態＞
本実施形態の換気システム４２０は、第３給気管１４の一部が温度調節器６５を備えている点を除いて、第４の実施形態の換気システム４００と同様である。従って、第１の実施形態乃至第４の実施形態と重複する説明は省略され得る。
【００７３】
図１１は、本実施形態の換気システム４２０の構成を説明するための概要図である。
【００７４】
図１１に示すように、本実施形態の換気システム４２０は、第１給気管１２から給気された空気が、熱効果器６０を経て給気部２０に至るまでに、空気の温度を調節するための温度調節器６５を備えている。温度調節器６５により、季節に応じて人間が快適に感じることのできる温度となるように、熱効果器６０を通過した空気の温度（例えば、１８℃〜２６℃）を調整する。
【００７５】
本実施形態の換気システム４２０を採用することにより、室内に冷暖房器具を別途設けることなくても、又は冷暖房器具の数を低減した状態であっても、室内に居る人に快適な温度の空気を提供できるとともに、該冷暖房器具による室内の空気の攪乱要因を無くす、又は低減することが可能となる。その結果、その空気４０の一方側に居る者（例えば、図１の紙面左側の者）の会話や談笑等による飛沫が、他方側に居る者（例えば、図１の紙面右側の者）に到達することを非常に確度高く防止又は抑制し得るとともに、空気４０（合流空気４０ｂ）をより確度高く排気部５０に誘導し得る。
【００７６】
以上述べたとおり、上述の各実施形態の開示は、それらの実施形態の説明のために記載したものであって、本発明を限定するために記載したものではない。加えて、各実施形態の他の組み合わせを含む本発明の範囲内に存在する変形例もまた、特許請求の範囲に含まれるものである。
【産業上の利用可能性】
【００７７】
本発明は、飲食業及び接客業を含む各種の産業に広く適用され得る。
【符号の説明】
【００７８】
１０      給気ファン
１２      第１給気管
１３      第２給気管
１４      第３給気管
２０ａ    内部空間
２０      給気部
２２      吐出口
２４，２２４      給気ノズル
２５      バッフル
２４ａ    導入口
２４ｂ    給気ノズルの上部
３０      薄板体
４０      空気
４０ａ    上方に向かうに従って断面積が大きくなる空気
４０ｂ    合流空気
５０      排気部
５０ａ    排気口
５０ｂ    排気ガイド
５２      第１排気管
５４      第２排気管
５５      第３排気管
５６，３５６  気流ガイド
５６ａ    回転軸
５６ｂ    支持部
５６ｃ    補助ガイド
６０      熱交換器
６５      温度調節器
７０      排気ファン
８０      制御部
８２，８４，８６，８８ａ，８８ｂ  配線
９０      板体又は台体
９９      壁
１００，２００，３００，３２０，４００，４２０      換気システム
【要約】
【課題】対面に居る客同士等の会話等において生じ得る飛沫の相手方への到達を確度高く防止又は抑制し得る換気システム及び換気方法を提供する。
【解決手段】本発明の１つの換気システムは、板体又は台体と、該板体上、該板体の上方、又は該板体の内部、あるいは該台体上、該台体の上方、又は該台体の内部に配置される複数の給気ノズルを備えるとともに、上方に向かうに従って断面積が大きくなる空気を該給気ノズルから供給する給気部と、該給気ノズルの上方に配置され、前述の板体又は前述の台体に向けて開口する少なくとも１つの排気口を有する排気部と、を備える。加えて、この換気システムは、前述の給気ノズルから供給される各々の前述の空気が、前述の排気口から排気されるまでに合流するように該給気ノズルが配置される。
【選択図】図１【図１】
0006932823.tif 000002
【図２】
0006932823.tif 000003
【図３】
0006932823.tif 000004
【図４】
0006932823.tif 000005
【図５】
0006932823.tif 000006
【図６】
0006932823.tif 000007
【図７】
0006932823.tif 000008
【図８】
0006932823.tif 000009
【図９】
0006932823.tif 000010
【図１０】
0006932823.tif 000011
【図１１】
0006932823.tif 000012